(57)【要約】  ソース基地局からターゲット基地局へのＲＡＣＨレスハンドオーバを実行するために、ＵＥ装置は、ＭＡＣ（Ｍｅｄｉａ  Ａｃｃｅｓｓ  Ｃｏｎｔｒｏｌ）メッセージをターゲット基地局がＵＥ装置に送信するという要求を生成する。要求は、ＲＲＣ（Ｒａｄｉｏ  Ｒｅｓｏｕｒｃｅ  Ｃｏｎｔｒｏｌ）接続再構成完了メッセージと共に送信され得る。あるいは、ＵＥ装置から送信されたＲＲＣメッセージは、ＭＡＣメッセージをターゲット基地局がＵＥ装置に送信するという暗黙の要求として機能する。要求はまた、ターゲット基地局が送信すべき特定のＭＡＣ制御要素を指定し得る。ターゲット基地局は、要求された場合、要求されたＭＡＣメッセージをＴＡ情報と共に送信する。ＵＥ装置は、要求されたＭＡＣメッセージがターゲット基地局からいつ受信されるかに少なくとも部分的に基づいて、ハンドオーバがいつ完了したかを判定する。
2019537326.tif 000002
【特許請求の範囲】
【請求項１】
ユーザ機器（ＵＥ）装置において、ＭＡＣ（Ｍｅｄｉａ  Ａｃｃｅｓｓ  Ｃｏｎｔｒｏｌ）メッセージを基地局が前記ＵＥ装置に送信するという要求を生成することと、
上りリンク送信で前記要求を前記基地局に送信することと、を含む方法。
【請求項２】
前記要求は、ＬＣＩＤ（Ｌｏｇｉｃａｌ  Ｃｈａｎｎｅｌ  Ｉｄｅｎｔｉｆｉｅｒ）を含む、請求項１に記載の方法。
【請求項３】
前記要求は、ＵＥ競合解決識別ＭＡＣ制御要素に対するものである、請求項２に記載の方法。
【請求項４】
前記要求は、ＲＡＲ（Ｒａｎｄｏｍ  Ａｃｃｅｓｓ  Ｒｅｓｐｏｎｓｅ）に対する要求を含む、請求項１に記載の方法。
【請求項５】
前記要求は、特定のＭＡＣ制御要素に対する要求を含む、請求項１に記載の方法。
【請求項６】
前記要求は、ＭＡＣプロトコル層よりも高いプロトコル層に準拠するメッセージを含む、請求項１に記載の方法。
【請求項７】
前記要求は、ＲＲＣ（Ｒａｄｉｏ  Ｒｅｓｏｕｒｃｅ  Ｃｏｎｔｒｏｌ）接続再構成完了メッセージをさらに含む、請求項６に記載の方法。
【請求項８】
前記要求を受信することに応答して、前記要求されたＭＡＣメッセージを前記ＵＥ装置に送信することをさらに含む、請求項１に記載の方法。
【請求項９】
前記要求されたＭＡＣメッセージを前記ＵＥ装置がいつ受信するかに少なくとも部分的に基づいて、前記ＵＥ装置についてハンドオーバ手順がいつ完了するかを前記ＵＥ装置によって判定することをさらに含む、請求項８に記載の方法。
【請求項１０】
ユーザ機器（ＵＥ）装置を含み、
前記ＵＥ装置は、
ＭＡＣ（Ｍｅｄｉａ  Ａｃｃｅｓｓ  Ｃｏｎｔｒｏｌ）メッセージを基地局が前記ＵＥ装置に送信するという要求を生成する制御部と、
上りリンク送信で前記要求を前記基地局に送信する送信部と、を備える、システム。
【請求項１１】
前記要求は、ＬＣＩＤ（Ｌｏｇｉｃａｌ  Ｃｈａｎｎｅｌ  Ｉｄｅｎｔｉｆｉｅｒ）を含む、請求項１０に記載のシステム。
【請求項１２】
前記要求は、ＵＥ競合解決識別ＭＡＣ制御要素に対するものである、請求項１１に記載のシステム。
【請求項１３】
前記要求は、ＲＡＲ（Ｒａｎｄｏｍ  Ａｃｃｅｓｓ  Ｒｅｓｐｏｎｓｅ）に対する要求を含む、請求項１０に記載のシステム。
【請求項１４】
前記要求は、特定のＭＡＣ制御要素に対する要求を含む、請求項１０に記載のシステム。
【請求項１５】
前記要求は、ＭＡＣプロトコル層より高いプロトコル層に準拠するメッセージを含む、請求項１０に記載のシステム。
【請求項１６】
前記要求は、ＲＲＣ（Ｒａｄｉｏ  Ｒｅｓｏｕｒｃｅ  Ｃｏｎｔｒｏｌ）接続再構成完了メッセージをさらに含む、請求項１５に記載のシステム。
【請求項１７】
前記基地局は、前記ＭＡＣメッセージに対する前記要求を受信することに応答して、前記ＭＡＣメッセージを前記ＵＥ装置に送信する送信部を備える、請求項１０に記載のシステム。
【請求項１８】
前記ＵＥ装置の前記制御部は、さらに、前記要求されたＭＡＣメッセージを前記ＵＥ装置がいつ受信するかに少なくとも部分的に基づいて、前記ＵＥ装置についてハンドオーバ手順がいつ完了するかを判定する、請求項１０に記載のシステム。
【発明の詳細な説明】
【優先権の主張】
【０００１】
本出願は、２０１６年１０月１１日に出願された、発明の名称が「ＭＥＴＨＯＤ  ＯＦ  ＵＥ  ＲＥＱＵＥＳＴＳ  ＦＯＲ  ＭＡＣ  ＭＥＳＳＡＧＥＳ  ＦＲＯＭ  ＡＮ  ＥＮＢ」である仮出願番号第６２／４０６，７２１号と、２０１６年１０月１２日に出願された、発明の名称が「ＭＥＴＨＯＤＳ  ＦＯＲ  Ａ  ＵＥ  ＴＯ  ＲＥＱＵＥＳＴ  ＭＡＣ  ＭＥＳＳＡＧＥＳ  ＦＲＯＭ  ＡＮ  ＥＮＢ」である仮出願番号第６２／４０７，２４３号と、に対する優先権を主張し、それらの全てが本出願の譲受人に譲渡されており、それらの全体が参照により本明細書に明示的に援用されている。
【技術分野】
【０００２】
本発明は、一般に無線通信に関し、より詳細には基地局からのメッセージを要求するユーザ機器装置に関する。
【背景技術】
【０００３】
従来のシステムでは、ソース基地局（例えば、ソースｅＮＢ）からターゲット基地局（例えば、ターゲットｅＮＢ）へのユーザ機器（ＵＥ）装置のハンドオーバは、ソース基地局がハンドオーバ要求メッセージをターゲット基地局に送信すること（例えば、ハンドオーバを開始するため）と、ターゲット基地局がそれに応答してメッセージを送信することと、を伴う。ソース基地局は、ターゲット基地局の上りリンクリソースをＵＥ装置にシグナリングし、ＵＥ装置は、ＲＡＣＨ（Ｒａｎｄｏｍ  Ａｃｃｅｓｓ  Ｃｈａｎｎｅｌ）手順に上りリンクリソースを利用する。ＵＥ装置がターゲット基地局にハンドオーバされた後、ＵＥ装置は、ＲＡＣＨ手順の一部として、ターゲット基地局に上りリンク信号を送信する。ターゲット基地局は、ＵＥ装置の上りリンク送信がハンドオーバ後にターゲット基地局に同期されるために必要なＴＡ（Ｔｉｍｉｎｇ  Ａｄｖａｎｃｅ）を計算するために、ＵＥ装置から受信した上りリンク信号を使用する。ターゲット基地局は、ＲＡＣＨ手順の一部として、ターゲット基地局への上りリンクアクセスを得るためにＵＥ装置に必要とされる上りリンクリソースと共に、ＴＡをＲＡＲ（Ｒａｎｄｏｍ  Ａｃｃｅｓｓ  Ｒｅｓｐｏｎｓｅ）メッセージでシグナリングする。ＵＥ装置は、ＵＥ装置がＲＡＲメッセージをいつ受信したかに基づいて、ＵＥ装置のハンドオーバ手順がいつ完了したかを判断する。
【発明の概要】
【０００４】
ハンドオーバ手順がＲＡＣＨ手順を含まない場合（ＲＡＣＨレスハンドオーバ）に、ソース基地局からターゲット基地局へのハンドオーバを実行するために、ＵＥ装置は、ターゲット基地局がＭＡＣ（Ｍｅｄｉａ  Ａｃｃｅｓｓ  Ｃｏｎｔｒｏｌ）メッセージを送信すべきであるという要求を生成する。いくつかの例では、要求はＲＲＣ（Ｒａｄｉｏ  Ｒｅｓｏｕｒｃｅ  Ｃｏｎｔｒｏｌ）接続再構成完了メッセージと共に送信され得る。他の例では、ＵＥ装置からターゲット基地局に送信されるＲＲＣ接続再構成完了メッセージなどのＲＲＣメッセージは、ＭＡＣメッセージをターゲット基地局がＵＥ装置に送信すべきであるという暗黙の要求として機能する。要求はまた、要求を受信することに応答してターゲット基地局が送信する特定のＭＡＣ制御要素を指定し得る。要求を受信すると、ターゲット基地局は、要求された場合、ＴＡ情報と共に要求されたＭＡＣメッセージをＵＥ装置に送信する。ＵＥ装置は、要求されたＭＡＣメッセージがターゲット基地局からいつ受信されるかに少なくとも部分的に基づいて、ハンドオーバがいつ完了したかを判定する。
【図面の簡単な説明】
【０００５】
図１は、基地局がＭＡＣメッセージをＵＥ装置に送信することをＵＥ装置が要求する場合の通信システムのブロック図の一例である。
【０００６】
図２Ａは、図１に示される基地局の一例のブロック図である。
【０００７】
図２Ｂは、図１に示されるＵＥ装置の一例のブロック図である。
【０００８】
図３Ａは、図１に示される様々なシステム構成要素間で交換されるメッセージの一例のメッセージング図である。
【０００９】
図３Ｂは、ＭＡＣプロトコルデータユニット構造の一例のブロック図である。
【００１０】
図４は、ＭＡＣメッセージを基地局がＵＥ装置に送信することを、ＵＥ装置が要求する方法の一例のフローチャートである。
【発明を実施するための形態】
【００１１】
従来のシステムにおいてハンドオーバ中にターゲット基地局によってＵＥ装置に提供されるＴＡ（Ｔｉｍｉｎｇ  Ａｄｖａｎｃｅ）は、ハンドオーバ後にＵＥ装置の上りリンク送信がターゲット基地局に同期されるために必要とされる。上りリンク送信がターゲット基地局に適切に同期されていない場合、ターゲット基地局は送信を検出および復号することができないであろう。しかしながら、従来のシステムの１つの欠点は、ハンドオーバ手順が開始された後にＴＡ決定ステップが実行されることであり、これは、例えば、ハンドオーバ中にＴＡを決定する必要がない場合、ハンドオーバ手順の完了するために必要とされる時間量を不必要に増加させる。
【００１２】
ハンドオーバ手順を完了するために必要とされる時間を短縮するために、例えば、ハンドオーバ中にＴＡを決定する必要がない場合、ＲＡＣＨレスハンドオーバを使用することができる。本明細書で使用される際には、用語「ＲＡＣＨレスハンドオーバ」は、ハンドオーバ中にユーザ機器（ＵＥ）装置によるターゲット基地局（例えば、ターゲットｅＮＢ）へのＲＡＣＨ（Ｒａｎｄｏｍ  Ａｃｃｅｓｓ  Ｃｈａｎｎｅｌ）の送信をスキップすることを指す。ＲＡＣＨ手順はハンドオーバ遅延のかなりの部分であるので、ＲＡＣＨレスハンドオーバはハンドオーバ手順の遅延を大幅に改善する。しかしながら、ＲＡＣＨ手順が実行されない場合、ターゲット基地局がＵＥ装置からの上りリンク送信を検出し復号することができるように、ＵＥ装置に対するＴＡを決定するための代替方法が必要とされる。したがって、通常はＵＥ装置からのＲＡＣＨメッセージを受信したことに応答してターゲット基地局によって送信されるＲＡＲ（Ｒａｎｄｏｍ  Ａｃｃｅｓｓ  Ｒｅｓｐｏｎｓｅ）メッセージに含まれる、ＴＡおよび上りリンク許可などの情報を提供するための代替方法が必要とされる。さらに、代替方法は、ＵＥ装置のハンドオーバがいつ正常に完了したかを判断できる方法をＵＥ装置に提供しなければならず、これは従来のシステムではＲＡＲメッセージを受信することによって判断される。
【００１３】
本明細書で説明される例は、ソース基地局によってＵＥ装置に送信さＲＲＣ（Ｒａｄｉｏ  Ｒｅｓｏｕｒｃｅ  Ｃｏｎｔｒｏｌ）接続再構成メッセージで、上りリンク送信のための上りリンク許可をターゲット基地局に送信することを含む。ＵＥ装置は、ＲＲＣ接続再構成メッセージを受信すると、ＭＡＣメッセージをターゲット基地局がＵＥ装置に送信すべきであるという要求を生成する。ＵＥ装置は、ＲＲＣ接続再構成メッセージで受信された上りリンク許可を使用して要求を送信する。
【００１４】
いくつかの例では、要求はＲＲＣ接続再構成完了メッセージと共に送信することができ、他の例では、ＲＲＣ接続再構成完了メッセージ自体が暗黙の要求として働く。要求を受信すると、ターゲット基地局は、要求された場合、ＴＡ情報と共に要求されたＭＡＣメッセージをＵＥ装置に送信する。ＵＥ装置は、要求されたＭＡＣメッセージがターゲット基地局からいつ受信されるかに少なくとも部分的に基づいて、ハンドオーバがいつ完了したかを判定する。ＭＡＣメッセージで受信された不要な情報は、ＵＥ装置によって破棄される可能性がある。
【００１５】
図１は、ＭＡＣメッセージを基地局がＵＥ装置に送信することをＵＥ装置が要求する場合の通信システムのブロック図の一例である。通信システム１００は、無線アクセスネットワークの一部である様々な基地局のそれぞれのサービスエリア内に位置するＵＥ装置に様々な無線サービスを提供する無線アクセスネットワーク（図示せず）の一部である。
【００１６】
明確さと簡潔さのために、通信システム１００はソース基地局１０２およびターゲット基地局１０４のみを有するように示されている。しかしながら、他の例では、通信システム１００は任意の適切な数の基地局を有することができる。図１の例では、ソース基地局１０２のサービスエリア（セル）の少なくとも一部は、セル１０８によって表され、ターゲット基地局１０４のサービスエリア（セル）の少なくとも一部は、セル１１２によって表される。セル１０８、１１２は楕円で表されているが、一般的な通信システム１００は複数のセルを有し、各セルは様々な形状の地理的サービスエリアを有する。ｅＮｏｄｅＢまたはｅＮＢと呼ばれることもある基地局１０２、１０４は、それぞれ下りリンク信号１１０、１１４をＵＥ装置１０６に送信することによって、無線ユーザ機器（ＵＥ）装置１０６と通信する。基地局１０２、１０４は、ＵＥ装置１０６から送信された上りリンク信号１１８、１２０を受信する。ＵＥ装置１０６は、例えば、携帯電話、トランシーバモデム、携帯情報端末（ＰＤＡ）、タブレット、またはスマートフォンなどの任意の無線通信装置である。
【００１７】
基地局１０２、１０４は、既知の技術に従ってバックホール（図示せず）を介してネットワークに接続されている。図２Ａに示すように、ソース基地局１０２は、制御部２０４、送信部２０６、および受信部２０８、ならびに他の電子機器、ハードウェア、およびコードを含む。図２Ａは、ソース基地局１０２の回路構成を具体的に示しているが、同一の基地局回路構成は、通信システム１００のターゲット基地局１０４に利用される。基地局１０２は、本明細書で説明される機能を実行する任意の固定、モバイル、またはポータブル機器である。基地局１０２を参照して説明されるブロックの様々な機能および動作は、任意の数の装置、回路、または要素で実施されてもよい。機能ブロックのうちの２つ以上は単一装置に統合されてもよく、任意の単一装置で実行されるものとして説明される機能は、いくつかの装置にわたって実施されてもよい。
【００１８】
図２Ａに示すように、基地局１０２は、システム導入時に特定の場所に設置される固定装置または器具であってもよい。そのような機器の例には、固定基地局または固定トランシーバ局が含まれる。ある状況では、基地局１０２は、特定の場所に一時的に設置されているモバイル機器であってもよい。そのような機器のいくつかの例には、発電機、太陽電池パネル、および／または電池などの発電機器を含み得る移動式トランシーバ局が含まれる。そのような装置のより大きくより重いバージョンは、トレーラーによって輸送されてもよい。さらに他の状況では、基地局１０２は、任意の特定の場所に固定されていないポータブル機器であってもよい。したがって、基地局１０２は、状況によっては、ＵＥ装置などのポータブルユーザ装置であってもよい。
【００１９】
制御部２０４は、基地局１０２の全体的な機能性を容易にするのと同様に、本明細書に記載される機能を実行するためのハードウェア、ソフトウェア、および／またはファームウェアの任意の組み合わせを含んでもよい。適切な制御部２０４の一例は、メモリに接続されたマイクロプロセッサまたはプロセッサ配列で実行するコードを含む。送信部２０６は、無線信号を送信する電子機器を含む。状況によっては、送信部２０６は複数の送信機を含んでもよい。 受信部２０８は、無線信号を受信する電子機器を含む。状況によっては、受信部２０８は複数の受信機を含んでいてもよい。受信部２０８および送信部２０６は、それぞれアンテナ２１０を介して信号を送受信する。アンテナ２１０は、別々の送信アンテナと受信アンテナを含んでもよい。状況によっては、アンテナ２１０は複数の送信アンテナおよび受信アンテナを含んでもよい。
【００２０】
図２Ａの例における送信部２０６および受信部２０８は、変調および復調を含む無線周波数（ＲＦ）処理を実行する。したがって、受信部２０８は、低雑音増幅器（ＬＮＡ）およびフィルタなどの構成要素を含んでもよい。送信部２０６は、フィルタおよび増幅器を含んでもよい。他の構成要素は、アイソレータ、整合回路、および他のＲＦ構成要素を含んでもよい。これらの構成要素は他の構成要素と組み合わせてまたは連携して基地局の機能を実行する。必要な構成要素は、基地局によって必要とされる特定の機能に依存してもよい。
【００２１】
送信部２０６は変調部（図示せず）を含み、受信部２０８は復調部（図示せず）を含む。変調部は、下りリンク信号１１０の一部として送信される信号を変調し、複数の変調次数のうちの任意の１つを適用し得る。復調部は、複数の変調次数のうちの１つに従って基地局１０２で受信される任意の上りリンク信号１１８を復調する。
【００２２】
図１に戻ると、通信システム１００は、基地局１０２、１０４を介して様々な無線サービスをＵＥ装置１０６に提供する。本明細書の例では、通信システム１００は、３ＧＰＰ  ＬＴＥ（ｔｈｅ  ３ｒｄ  Ｇｅｎｅｒａｔｉｏｎ  ｐａｒｔｎｅｒｓｈｉｐ  ｐｒｏｊｅｃｔ  Ｌｏｎｇ  Ｔｅｒｍ  Ｅｖｏｌｕｔｉｏｎ）通信仕様の少なくとも１つの改訂に従って動作する。ＵＥ装置１０６は、最初にソース基地局１０２によってサービス提供され、したがって、図２Ｂに示されるように、アンテナ２１２および受信部２１４を介して下りリンク信号１１０を受信する。アンテナ２１２および受信部２１４に加えて、ＵＥ装置１０６はさらに、制御部２１６および送信部２１８、ならびに他の電子機器、ハードウェア、およびコードを含む。ＵＥ装置１０６は、本明細書で説明される機能を実行する任意の固定、モバイル、またはポータブル機器である。ＵＥ装置１０６を参照して説明されるブロックの様々な機能および動作は、任意の数の装置、回路、または要素で実施されてもよい。機能ブロックのうちの２つ以上は単一装置に統合されてもよく、任意の単一装置で実行されるものとして説明される機能は、いくつかの装置にわたって実施されてもよい。
【００２３】
制御部２１６は、ＵＥ装置の全体的な機能性を容易にするのと同時に、本明細書で説明される機能を実行するためのハードウェア、ソフトウェア、および／またはファームウェアの任意の組合せを含む。適切な制御部２１６の一例は、メモリに接続されたマイクロプロセッサまたはプロセッサ配列で実行するコードを含む。送信部２１８は、無線信号を送信する電子機器を含む。状況によっては、送信部２１８は複数の送信機を含んでもよい。受信部２１４は、無線信号を受信する電子機器を含む。状況によっては、受信部２１４は複数の受信機を含んでもよい。受信部２１４および送信部２１８は、それぞれアンテナ２１２を介して信号を送受信する。アンテナ２１２は、別々の送信アンテナと受信アンテナを含んでもよい。状況によっては、アンテナ２１２は、複数の送信アンテナおよび受信アンテナを含んでもよい。
【００２４】
図２Ｂの例における送信部２１８および受信部２１４は、変調および復調を含む無線周波数（ＲＦ）処理を実行する。したがって、受信部２１４は、低雑音増幅器（ＬＮＡ）およびフィルタなどの構成要素を含んでもよい。送信部２１８は、フィルタおよび増幅器を含んでもよい。他の構成要素は、アイソレータ、整合回路、および他のＲＦ構成要素を含んでもよい。これらの構成要素は他の構成要素と組み合わせてまたは連携してＵＥ装置の機能を実行する。必要な構成要素は、ＵＥ装置によって必要とされる特定の機能に依存してもよい。
【００２５】
送信部２１８は変調部（図示せず）を含み、受信部２１４は復調部（図示せず）を含む。変調部は、図１に示されるように上りリンク信号１１８の一部として送信される信号を変調するために、複数の変調次数のうちの任意の１つを適用し得る。復調部は、複数の変調次数のうちの１つに従って下りリンク信号１１０、１１４を復調する。
【００２６】
図１に示す例の動作の開始時に、ＵＥ装置１０６はソース基地局１０２によってサービス提供されている。したがって、ＵＥ装置１０６は、下りリンク信号１１０を受信すると、ソース基地局１０２がＵＥ装置１０６に提供している無線サービスのうちの少なくとも１つに関するデータを含む符号化データパケットをもたらす下りリンク信号１１０を復調する。ＵＥ装置１０６は、データを取得するために、制御部２１６を使用して符号化データパケットを復号する。
【００２７】
ソース基地局１０２がＵＥ装置１０６をターゲット基地局１０４にハンドオーバするための任意の１つ以上の基準が満たされると、ソース基地局１０２は、通信リンク１１６を介してハンドオーバ要求をターゲット基地局１０４に送信する。ハンドオーバの基準は、例えば、ソース基地局１０２における無線混雑、ＵＥ装置１０６に対する上りリンク／下りリンク信号の劣悪／悪化した信号品質、および／またはターゲット基地局１０４による利用可能なリソースの不十分な利用を含んでもよい。しかしながら、他の任意の適切な基準が使用され得る。
【００２８】
使用される基準にかかわらず、ソース基地局１０２は、有線（例えば、Ｘ２）または無線通信リンクを介してハンドオーバ要求をターゲット基地局１０４に送信し得る。送信が無線である場合、ＵＥ装置の無線送信設定情報を送信するために、ソース基地局１０２は送信部２０６およびアンテナ２１０を使用し、ターゲット基地局１０４はアンテナ２１０および受信部２０８を介してハンドオーバ要求の無線送信を受信する。ターゲット基地局１０４へのハンドオーバ要求の送信は、信号３０２によって図３Ａに示される。
【００２９】
ターゲット基地局１０４がハンドオーバに同意すると、ターゲット基地局１０４はハンドオーバ要求肯定応答メッセージを、有線接続または無線接続され得る通信リンク１１６を介してソース基地局１０２に送信する。ハンドオーバ要求肯定応答メッセージは、ターゲット基地局１０４にアクセスに使用されるために、ＵＥ装置１０６に送信される構成情報を含む。ハンドオーバ要求肯定応答の送信は、信号３０４によって図３Ａに示されている。ハンドオーバ要求肯定応答を受信すると、ソース基地局１０２はＲＲＣ（Ｒａｄｉｏ  Ｒｅｓｏｕｒｃｅ  Ｃｏｎｔｒｏｌ）接続再構成メッセージをＵＥ装置１０６に送信する。ＲＲＣ接続再構成メッセージは、ＲＲＣ接続再設定が完了すると、ＵＥ装置１０６がＲＲＣ接続再構成完了メッセージをターゲット基地局１０４に送信するために利用する上りリンク許可情報を含む。ＲＲＣ接続再構成メッセージの送信は、信号３０６によって図３Ａに示される。
【００３０】
ＲＲＣ接続再構成メッセージを受信すると、ＵＥ装置１０６は、ＭＡＣ（Ｍｅｄｉａ  Ａｃｃｅｓｓ  Ｃｏｎｔｒｏｌ）メッセージをターゲット基地局１０４がＵＥ装置１０６に送信するという要求を生成する。いくつかの例では、要求は、ターゲット基地局１０４に送信されることになるＭＡＣ  ＰＤＵ（Ｐｒｏｔｏｃｏｌ  Ｄａｔａ  Ｕｎｉｔ）のサブヘッダに位置するＬＣＩＤ（Ｌｏｇｉｃａｌ  Ｃｈａｎｎｅｌ  Ｉｄｅｎｔｉｆｉｅｒ）を含む。図３Ｂは、ＭＡＣヘッダ３２２およびＭＡＣペイロード３２４を含むＭＡＣ  ＰＤＵ構造３２０の一例を示す。ＭＡＣヘッダ３２２は、ＭＡＣペイロード３２４に含まれる情報の種類を識別する１つ以上のサブヘッダ３２６を含む。ＭＡＣペイロード３２４の各エントリに関連付けられたサブヘッダ３２６がある。図３Ｂから分かるように、ＭＡＣペイロード３２４の最初の部分は、１つ以上のＭＡＣ  ＳＤＵｓ（Ｓｅｒｖｉｃｅ  Ｄａｔａ  Ｕｎｉｔｓ）３３０が後に続く１つ以上のＭＡＣ制御要素３２８を含む。ＭＡＣ  ＳＤＵｓは、ＲＲＣメッセージなどの制御データおよびユーザデータを含む。図３Ｂに示す例では、サブヘッダ１はＭＡＣ制御要素３２８と関連付けられ、サブヘッダ２はＭＡＣ  ＳＤＵ３３０と関連付けられている。
【００３１】
いくつかの例では、ＬＣＩＤ自体が、ターゲット基地局１０４がＵＥ競合解決識別ＭＡＣ制御要素などの特定のＭＡＣ制御要素を送信することを要求するように定義される。これらの例では、サブヘッダ（例えば、サブヘッダ１）にあるＬＣＩＤのみが特定のＭＡＣ制御要素または他のＭＡＣメッセージを要求するために使用され、その要求にペイロード情報は必要とされない。しかしながら、要求は、サブヘッダ（例えば、サブヘッダ２）と、ＲＲＣ接続再構成完了メッセージを含む対応するＭＡＣ  ＳＤＵ  ３３０とを含む同じＭＡＣ  ＰＤＵ３２０で送信されてもよい。他の例では、ＲＲＣ接続再構成完了メッセージなどのＲＲＣメッセージは、ターゲット基地局１０４が特定のＭＡＣメッセージを送信すべきであることを暗黙的に要求するために使用される。さらに他の例では、要求の性質にかかわらず、要求は、ターゲット基地局１０４がＲＡＲ（Ｒａｎｄｏｍ  Ａｃｃｅｓｓ  Ｒｅｓｐｏｎｓｅ）メッセージをＵＥ装置１０６に送信すべきであるということである。
【００３２】
あるいは、ＬＣＩＤは、ＭＡＣペイロード３２４に配置されるＭＡＣ制御要素が要求されたコマンドを識別することを示す一般的なＭＡＣコマンド要求とし得る。例えば、ＭＡＣ  ＰＤＵ３２０のサブヘッダ３２６に含まれるＬＣＩＤは、ＭＡＣコマンド要求値に設定され、要求されている特定のＭＡＣ制御要素またはＭＡＣメッセージ（例えば、ＵＥ競合解決識別またはＲＡＲ）は、ＭＡＣコマンド要求ＬＣＩＤを含むサブヘッダに対応するＭＡＣ  ＳＤＵ３３０に配置される値によって識別される。要求はまた、サブヘッダ３２６と、ＲＲＣ接続再構成完了メッセージを含む、対応するＭＡＣ  ＳＤＵ  ３３０とを含む同じＭＡＣ  ＰＤＵ３２０で送信されてもよい。
【００３３】
本明細書で説明される例では、ＭＡＣメッセージは、例えば、３ＧＰＰ  ＬＴＥ（ｔｈｅ  ３ｒｄ  Ｇｅｎｅｒａｔｉｏｎ  ｐａｒｔｎｅｒｓｈｉｐ  ｐｒｏｊｅｃｔ  Ｌｏｎｇ  Ｔｅｒｍ  Ｅｖｏｌｕｔｉｏｎ）ＭＡＣ仕様で指定されているようなピアＭＡＣレイヤ（レイヤ２）プロトコルエンティティで開始および終了する制御情報を含み、さらにＲＡＲ（Ｒａｎｄｏｍ  Ａｃｃｅｓｓ  Ｒｅｓｐｏｎｓｅ）メッセージなどのＭＡＣメッセージおよびＭＡＣ制御要素を含む。ＲＲＣ（Ｒａｄｉｏ  Ｒｅｓｏｕｒｃｅ  Ｃｏｎｔｒｏｌ）メッセージは、ピアＲＲＣレイヤ（レイヤ３）プロトコルエンティティで開始および終了する制御情報を含む。ＲＲＣ層メッセージは、ＭＡＣ層メッセージに対する上位層メッセージである。
【００３４】
上記のように、いくつかの例では、要求は、ＲＲＣ（Ｒａｄｉｏ  Ｒｅｓｏｕｒｃｅ  Ｃｏｎｔｒｏｌ）接続再構成完了メッセージなどのＲＲＣメッセージに含まれる。いくつかの例では、ＭＡＣメッセージを送信するためのターゲット基地局１０４に対する暗黙の要求は、ＲＲＣメッセージを受信するターゲット基地局１０４と、進行中のＲＡＣＨレスハンドオーバなどの現在の手順の性質とに基づく。例えば、ＵＥ装置１０６がＭＡＣ層にＲＡＲ要求メッセージを含まずにＲＲＣ接続再設定完了メッセージを送信することに応答して、ターゲット基地局１０４は、業界標準仕様で定義されているような指定された動作に従って、具体的にはＲＡＣＨレスハンドオーバの手順中にＲＲＣ接続再設定完了メッセージを受信することに基づいて、ＵＥ装置１０６にＲＡＲメッセージを送信する。他の例では、ＵＥ装置１０６が特定のＲＲＣメッセージをターゲット基地局１０４に送信すると、ターゲット基地局１０４は、ＲＲＣメッセージを受信することと、特定の手順の性質（例えば、ＲＡＣＨレスハンドオーバ手順中）とに基づいて、特定のＭＡＣメッセージを送信する。
【００３５】
ターゲット基地局１０４がＭＡＣメッセージを送信すべきであるという要求のフォーマットにかかわらず、ＵＥ装置１０６は、送信部２１８およびアンテナ２１２を介して、上りリンク送信１２０においてターゲット基地局１０４に要求を送信する。上記のように、いくつかの例では、要求およびＲＲＣ接続再構成完了メッセージは、同時に送信されてもよく、別々のメッセージで異なる時間に送信されてもよい。これらの例では、ＲＲＣ接続再構成完了メッセージの送信は、信号３０８によって図３Ａに示され、ターゲット基地局１０４への要求の送信は、信号３１０によって図３Ｂに示されている。しかし、他の例では、要求の送信３１０はまた、ＲＲＣ接続再構成完了メッセージを含み、他の例では、ＲＲＣ接続再構成完了メッセージ自体が暗黙の要求として機能する。
【００３６】
ターゲット基地局１０４は、アンテナ２１０および受信部２０８を介して要求を受信する。要求を受信すると、ターゲット基地局１０４は、受信した要求に従ってＭＡＣメッセージを生成するために制御部２０４を利用する。より具体的には、いくつかの例では、ターゲット基地局１０４は、ＵＥ装置１０６からの要求に示される特定のＭＡＣ制御要素を含むＭＡＣメッセージを生成する。例えば、要求がＵＥ競合解決識別ＭＡＣ制御要素に対するものであった場合、ターゲット基地局１０４は、ＵＥ競合解決識別ＭＡＣ制御要素を含むＭＡＣメッセージを生成するであろう。同様に、要求がＲＡＲに対する明示的または暗黙的な要求であった場合、ターゲット基地局１０４はＲＡＲを含むＭＡＣメッセージを生成するであろう。
【００３７】
ターゲット基地局１０４は、送信部２０６およびアンテナ２１０を介して、要求されたＭＡＣメッセージを含むＭＡＣメッセージ（たとえば、ＵＥ競合解決識別ＭＡＣ制御要素またはＲＡＲ）をＵＥ装置１０６に送信する。ＭＡＣメッセージの送信は、信号３１２によって図３Ａに示される。ＵＥ装置１０６は、アンテナ２１２および受信部２１４を介してＭＡＣメッセージを受信する。ＵＥ装置１０６が要求されたＭＡＣメッセージをいつ受信するかに少なくとも部分的に基づいて、ハンドオーバ手順（例えば、ソース基地局１０２からターゲット基地局１０４へ）がＵＥデバイス１０６に対していつ完了するかを判定するために、ＵＥ装置は制御部２０４を使用する。
【００３８】
図３Ａは、図１に示す様々なシステム構成要素間で交換されるメッセージの一例のメッセージング図である。この例では、ソース基地局１０２は、信号３０２を介してターゲット基地局１０４にハンドオーバ要求を送信する。それに応答して、ターゲット基地局１０４は、信号３０４を介してソース基地局１０２にハンドオーバ要求肯定応答を送信する。ハンドオーバ要求肯定応答を受信すると、信号３０６によって示されるように、ソース基地局はＲＲＣ接続再構成メッセージをＵＥ装置１０６に送信する。上述のように、ＲＲＣ接続再構成メッセージは、ターゲット基地局１０４へのハンドオーバの一部として、ＵＥ装置１０６によって必要とされる上りリンク許可情報を含んでもよい。
【００３９】
ＲＲＣ接続再構成メッセージを受信すると、ＵＥ装置１０６は、上述したように、ターゲット基地局１０４がＭＡＣメッセージをＵＥ装置１０６に送信すべきであるという要求を生成する。ＵＥ装置１０６は、上りリンク送信１２０においてターゲット基地局１０４に要求を送信する。上述のように、いくつかの例では、要求およびＲＲＣ接続再構成完了メッセージは別々のメッセージとして送信されてもよい。これらの例では、ＲＲＣ接続再構成完了メッセージの送信は、信号３０８によって示され、ターゲット基地局１０４への要求の送信は、信号３１０によって示される。しかしながら、他の例では、要求の送信３１０はまた、ＲＲＣ接続再構成完了メッセージを含む。
【００４０】
要求を受信すると、ターゲット基地局１０４は、ＵＥ装置１０６からの要求に示される特定のＭＡＣメッセージを生成する。ターゲット基地局１０４は、要求されたＭＡＣメッセージ（例えば、ＵＥ競合解決識別ＭＡＣ制御要素またはＲＡＲ）をＵＥ装置１０６に送信する。いくつかの例では、ＭＡＣメッセージはまた、ハンドオーバ後にＵＥ装置１０６がその上りリンク送信をターゲット基地局に同期させるのに必要なＴＡ情報も含む。ＭＡＣメッセージの送信は信号３１２によって示される。
【００４１】
図４は、基地局がＭＡＣメッセージをＵＥ装置に送信することをＵＥ装置が要求する方法の一例のフローチャートである。方法４００は、ステップ４０２で、ＵＥ装置１０６において、ターゲット基地局１０４がＵＥ装置１０６に特定のＭＡＣメッセージを送信すべきであるという要求を生成することから始まる。ステップ４０４で、ＵＥ装置１０６は、上りリンク送信で要求をターゲット基地局１０４に送信する。ステップ４０６において、要求を受信することに応答して、ターゲット基地局１０４は要求されたＭＡＣメッセージを生成し、要求されたＭＡＣメッセージをＵＥ装置１０６に送信する。ステップ４０８において、ＵＥ装置１０６は、ＵＥ装置１０６が要求されたＭＡＣメッセージをいつ受信するかに少なくとも部分的に基づいて、ハンドオーバ手順（例えば、ソース基地局１０２からターゲット基地局１０４へ）がいつ完了するかを判定する。
【００４２】
明らかに、本発明の他の実施形態および変形はこれらの教示を考慮して当業者には容易に思い浮かぶであろう。上記の説明は例示的なものであり、限定的なものではない。本発明は、上記の明細書および添付の図面と併せて見たときに、全てのそのような実施形態および変形を含む以下の特許請求の範囲によってのみ限定されるべきである。したがって、本発明の範囲は、上記の説明を参照して決定されるべきではなく、その代わりに添付の特許請求の範囲をそれらの均等物の全範囲と共に参照して決定されるべきである。
【図１】
2019537326.tif 000003
【図２Ａ】
2019537326.tif 000004
【図２Ｂ】
2019537326.tif 000005
【図３Ａ】
2019537326.tif 000006
【図３Ｂ】
2019537326.tif 000007
【図４】
2019537326.tif 000008
【国際調査報告】
2019537326.tif 000009
2019537326.tif 000010